(57)【要約】【課題】  携帯電話機などの小型の電子機器に装着された二次電池を充電するときの筐体の温度上昇を抑制する。【解決手段】充電制御部５２ａから出力される充電制御信号ｃｃｔがトランジスタ５３ａ，５３ｂの各ベース電極にベース電流として供給されることにより、エミッタ電極・コレクタ電極間の抵抗値が制御され、充電電流が分散して二次電池５５に供給される。このため、発熱源が分散されると共に同発熱源１個あたりの発熱量が１／２になり、筐体表面の温度が上昇しにくくなる。これにより、温度上昇を抑制するための充電制御に関わるソフトウェアの設計が不要となると共に、温度センサなどの部品も不要となる。【選択図】図１
2008054429.tif 000002
【特許請求の範囲】
【請求項１】
装着された二次電池を電源として所定の動作を行う電子機器の内部に設けられ、外部電源装置から供給される電源を前記二次電池に対する充電電流に変換する充電回路であって、
前記充電電流を所定の電流値に制御するための充電制御信号を生成する充電制御部と、
互いに並列接続され、前記充電制御信号に基づいて前記充電電流を分散させて前記二次電池に供給する複数のトランジスタとを備え、かつ、
前記複数のトランジスタは、
当該電子機器の内部の所定の部位に分散して配置されていることを特徴とする充電回路。
【請求項２】
前記各トランジスタは、
当該電子機器の筐体の内部の所定の部位に連接するように取り付けられていることを特徴とする請求項１記載の充電回路。
【請求項３】
前記各トランジスタは、バイポーラトランジスタで構成され、
前記充電制御部は、
前記充電電流を検出する電流検出部を有し、該電流検出部による検出結果に基づいて該充電電流を前記所定の電流値に制御するためのベース電流を前記充電制御信号として前記各バイポーラトランジスタのベース電極に供給する構成とされていることを特徴とする請求項１又は２記載の充電回路。
【請求項４】
前記各トランジスタは、ＭＯＳトランジスタで構成され、
前記充電制御部は、
前記充電電流を検出する電流検出部を有し、該電流検出部による検出結果に基づいて該充電電流を前記所定の電流値に制御するための制御電圧を前記充電制御信号として前記各ＭＯＳトランジスタのゲート電極に印加する構成とされていることを特徴とする請求項１又は２記載の充電回路。
【請求項５】
装着された二次電池を電源として所定の動作を行う電子機器であって、
外部電源装置から供給される電源を前記二次電池に対する充電電流に変換する充電回路が設けられ、
該充電回路は、
前記充電電流を所定の電流値に制御するための充電制御信号を生成する充電制御部と、
互いに並列接続され、前記充電制御信号に基づいて前記充電電流を分散させて前記二次電池に供給する複数のトランジスタとを備え、かつ、
前記複数のトランジスタは、
当該電子機器の内部の所定の部位に分散して配置されていることを特徴とする電子機器。
【請求項６】
前記各トランジスタは、
当該電子機器の筐体の内部の所定の部位に連接するように取り付けられていることを特徴とする請求項５記載の電子機器。
【請求項７】
前記各トランジスタは、バイポーラトランジスタで構成され、
前記充電制御部は、
前記充電電流を検出する電流検出部を有し、該電流検出部による検出結果に基づいて該充電電流を前記所定の電流値に制御するためのベース電流を前記充電制御信号として前記各バイポーラトランジスタのベース電極に供給する構成とされていることを特徴とする請求項５又は６記載の電子機器。
【請求項８】
前記各トランジスタは、ＭＯＳトランジスタで構成され、
前記充電制御部は、
前記充電電流を検出する電流検出部を有し、該電流検出部による検出結果に基づいて該充電電流を前記所定の電流値に制御するための制御電圧を前記充電制御信号として前記各ＭＯＳトランジスタのゲート電極に印加する構成とされていることを特徴とする請求項５又は６記載の電子機器。
【発明の詳細な説明】
【技術分野】
【０００１】
この発明は、充電回路及び電子機器に係り、特に、携帯電話機、ＰＤＡ（Personal Digital Assistants ）や、携帯用音楽再生機器などのような小型の携帯用電子機器に用いて好適な充電回路及び電子機器に関する。
【背景技術】
【０００２】
携帯電話機などのような携帯用の電子機器では、装着された二次電池を電源として所定の動作が行われ、電源を入れたとき、同二次電池の残存容量が表示部に自動的に表示されるようになっている。そして、ユーザは、この残存容量がない、あるいは少ないことを認識したとき、電子機器に充電装置（外部電源装置）を装着することにより、二次電池を充電する。
【０００３】
この種の電子機器は、たとえば図８に示すように、携帯電話機１であり、上側ユニット１０と、下側ユニット２０とから構成され、同下側ユニット２０は同上側ユニット１０に対してヒンジ部１１を介して結合されている。そして、上側ユニット１０には、アンテナ１２が設けられ、又、下側ユニット２０に接するように折り畳んだときに同下側ユニット２０に接する前面側に表示部１３及び受話部１４が設けられている。下側ユニット２０は、上側ユニット１０に接するように折り畳んだときに同上側ユニット１０に接する前面に、複数のボタンスイッチなどで構成された操作部２１、及び送話部（マイクロホン）２２が設けられ、電源用の二次電池が放電したときには専用の充電装置の置台３０に装着載置されて充電される。充電装置の置台３０は、ＡＣアダプタ３１から供給される電源電圧を下側ユニット２０の図示しない充電用電源入力端子へ入力する。ＡＣアダプタ３１は、ＡＣコンセント３２から得られる交流電源（たとえば、商用電源）を所定の電圧の直流電源に変換する。
【０００４】
図９は、図８中の携帯電話機１内の要部の電気的構成を示すブロック図である。
この携帯電話機１は、同図９に示すように、電源入力端子４１と、パワーマネージメントＩＣ（集積回路）４２と、トランジスタ４３と、電流検出部４４と、二次電池４５と、ＣＰＵ（中央処理装置）４６とから構成されている。パワーマネージメントＩＣ４２は、ＡＣアダプタ３１から電源入力端子４１を経て供給される直流電源を、携帯電話機１の内部で使用される電圧に変換して各部に出力する他、同携帯電話機１が省電力モードに移行した場合には、各部への出力を停止する。また、パワーマネージメントＩＣ４２は、二次電池４５を充電するための充電制御部４２ａを有している。
【０００５】
充電制御部４２ａは、ＣＰＵ４６の命令に基づいて二次電池４５を充電し、同二次電池４５が満充電に到達したとき、充電を停止する。この場合、充電制御部４２ａは、二次電池４５の電圧を検出すると共に、電流検出部４４により充電電流を検出し、これらの検出結果に基づいて同充電電流を同二次電池４５に対応した所定の電流値に制御するための充電制御信号ｃｃｔを生成する。トランジスタ４３は、ｐｎｐ型のバイポーラトランジスタで構成され、充電制御部４２ａから出力される充電制御信号ｃｃｔがベース電極に供給されてエミッタ電極・コレクタ電極間の抵抗値が制御され、充電電流の制御を行う。電流検出部４４は、たとえば抵抗などで構成され、充電電流に対応した電圧を充電電流検出値として充電制御部４２ａへ送出する。二次電池４５は、たとえばリチウムイオン電池などで構成されている。また、上記パワーマネージメントＩＣ４２、トランジスタ４３、電流検出部４４及びＣＰＵ４６は、図示しないプリント基板上に実装されている。
【０００６】
この携帯電話機１では、充電制御部４２ａにより、充電開始時において、二次電池４５の容量に対応した定電流充電が行われ、同二次電池４５の電圧が所定の基準値を超えたときから満充電電圧に達するまで定電圧充電が行われ、かつ、同二次電池４５の電圧が満充電電圧に達したとき、充電が停止される。
【０００７】
上記の携帯電話機の他、従来、この種の技術としては、たとえば特許文献１に記載されたものがある。
特許文献１に記載された電力増幅器では、並列接続された複数の終段トランジスタが複数の終段出力ブロックに分割され、これらの終段出力ブロックと同数の温度補償回路が設けられ、各終段出力ブロックと各温度補償回路とがそれぞれ熱結合されている。
【０００８】
また、特許文献２に記載された充電器では、互いに同一特性を有する複数の充電用トランジスタのエミッタホロワ回路によって複数の充電端子部に充電電流をそれぞれ供給すると共に、１つの充電用トランジスタのエミッタからのみ、定電圧回路に帰還をかけることにより、同様に接続されている他の同一品種の充電用トランジスタの周囲の温度変化などによるエミッタ電圧の変動も補正され、各充電池への充電電流が高精度に制御される。
【０００９】
また、特許文献３に記載された電圧−電流変換回路では、交差接続した低歪電圧−電流変換回路を構成するトランジスタＴ１〜Ｔ６のうち、少なくとも１つは、２つ以上のトランジスタが並列接続されて構成されている。トランジスタＴ１〜Ｔ６の並列接続数を任意に設定することにより、従来の低歪動作を保持したまま、回路の電流配分が最適化される。
【特許文献１】実用新案登録第３０５１６５３号公報（要約書、図１）
【特許文献２】特開２００４−３６４４８７号公報（要約書、図１）
【特許文献３】特開２００６−１２９４１６号公報（要約書、図１）
【発明の開示】
【発明が解決しようとする課題】
【００１０】
しかしながら、上記従来の携帯電話機では、次のような問題点があった。
すなわち、図９の携帯電話機１では、充電制御部４２ａにより、トランジスタ４３を介して二次電池４５に対する充電電流や充電電圧が制御されるが、このとき、［（ＡＣアダプタ３１の出力電圧−充電電圧）×充電電流］で算出される電力がトランジスタ４３から熱となって放出される。この熱は、トランジスタ４３が実装されているプリント基板を伝導し、携帯電話機１の筐体の表面の温度が上昇する。この場合、筐体の表面の温度は、トランジスタ４３の表面の温度よりは低いが、ユーザが筐体に長時間触れていれば、不安感を感じることがあり、また、内部の各部品の劣化の進行が速くなるという問題点がある。
【００１１】
これらの問題点を解決するために、携帯電話機１内部に温度センサを設け、ある一定温度を超えた場合は、充電を停止したり、充電電流を減らすなどの機構を設けることにより、温度上昇を抑制することが考えられる。ところが、この場合、温度上昇を抑えるための充電制御に関わるソフトウェアの設計工数が増加したり、温度センサなどの部品点数が増加するという問題点がある。
【００１２】
また、特許文献１に記載された電力増幅器では、複数の終段トランジスタが並列接続されて複数の終段出力ブロックに分割され、また、各終段出力ブロック毎に温度補償回路が設けられているが、複数の終段トランジスタを並列接続する根本的理由は、高出力を得ると共に低出力インピーダンスとするためであり、発熱を分散して温度上昇を抑制するためではない。また、この発明では、温度補償回路は、設けられていない。従って、この発明とは、目的や構成が異なっている。
【００１３】
特許文献２に記載された充電器は、各充電用トランジスタが各電池にそれぞれ個別に接続される構成になっているものであり、並列接続されてはいない。また、各充電用トランジスタの温度上昇を抑制するものではないため、この発明とは、目的や構成が異なっている。
【００１４】
特許文献３に記載された電圧−電流変換回路は、設定されたトランジスタＴ１〜Ｔ６の並列接続数により、回路の電流配分が調整されるものであり、上記の問題点を改善するものではない。
【００１５】
この発明は、上述の事情に鑑みてなされたもので、ソフトウェア及び温度センサによる温度制御機構などを設けることなく、二次電池の充電中であっても、温度上昇の少ない充電回路、及び同充電回路が設けられた電子機器を提供することを目的としている。
【課題を解決するための手段】
【００１６】
上記課題を解決するために、請求項１記載の発明は、装着された二次電池を電源として所定の動作を行う電子機器の内部に設けられ、外部電源装置から供給される電源を前記二次電池に対する充電電流に変換する充電回路に係り、前記充電電流を所定の電流値に制御するための充電制御信号を生成する充電制御部と、互いに並列接続され、前記充電制御信号に基づいて前記充電電流を分散させて前記二次電池に供給する複数のトランジスタとを備え、かつ、前記複数のトランジスタは、当該電子機器の内部の所定の部位に分散して配置されていることを特徴としている。
【００１７】
請求項２記載の発明は、請求項１記載の充電回路に係り、前記各トランジスタは、当該電子機器の筐体の内部の所定の部位に連接するように取り付けられていることを特徴としている。
【００１８】
請求項３記載の発明は、請求項１又は２記載の充電回路に係り、前記各トランジスタは、バイポーラトランジスタで構成され、前記充電制御部は、前記充電電流を検出する電流検出部を有し、該電流検出部による検出結果に基づいて該充電電流を前記所定の電流値に制御するためのベース電流を前記充電制御信号として前記各バイポーラトランジスタのベース電極に供給する構成とされていることを特徴としている。
【００１９】
請求項４記載の発明は、請求項１又は２記載の充電回路に係り、前記各トランジスタは、ＭＯＳトランジスタで構成され、前記充電制御部は、前記充電電流を検出する電流検出部を有し、該電流検出部による検出結果に基づいて該充電電流を前記所定の電流値に制御するための制御電圧を前記充電制御信号として前記各ＭＯＳトランジスタのゲート電極に印加する構成とされていることを特徴としている。
【００２０】
請求項５記載の発明は、装着された二次電池を電源として所定の動作を行う電子機器に係り、外部電源装置から供給される電源を前記二次電池に対する充電電流に変換する充電回路が設けられ、該充電回路は、前記充電電流を所定の電流値に制御するための充電制御信号を生成する充電制御部と、互いに並列接続され、前記充電制御信号に基づいて前記充電電流を分散させて前記二次電池に供給する複数のトランジスタとを備え、かつ、前記複数のトランジスタは、当該電子機器の内部の所定の部位に分散して配置されていることを特徴としている。
【００２１】
請求項６記載の発明は、請求項５記載の電子機器に係り、前記各トランジスタは、当該電子機器の筐体の内部の所定の部位に連接するように取り付けられていることを特徴としている。
【００２２】
請求項７記載の発明は、請求項５又は６記載の電子機器に係り、前記各トランジスタは、バイポーラトランジスタで構成され、前記充電制御部は、前記充電電流を検出する電流検出部を有し、該電流検出部による検出結果に基づいて該充電電流を前記所定の電流値に制御するためのベース電流を前記充電制御信号として前記各バイポーラトランジスタのベース電極に供給する構成とされていることを特徴としている。
【００２３】
請求項８記載の発明は、請求項５又は６記載の電子機器に係り、前記各トランジスタは、ＭＯＳトランジスタで構成され、前記充電制御部は、前記充電電流を検出する電流検出部を有し、該電流検出部による検出結果に基づいて該充電電流を前記所定の電流値に制御するための制御電圧を前記充電制御信号として前記各ＭＯＳトランジスタのゲート電極に印加する構成とされていることを特徴としている。
【発明の効果】
【００２４】
この発明の構成によれば、充電制御部により、充電電流を所定の電流値に制御するための充電制御信号が生成され、互いに並列接続され、分散して配置された複数のトランジスタにより、同充電制御信号に基づいて充電電流が分散して二次電池に供給されるので、トランジスタ１個あたりの発熱量が低下し、電子機器の筐体表面の温度が上昇しにくくなる。これにより、温度上昇を抑制するための充電制御に関わるソフトウェアの設計を不要にできると共に、温度センサなどの部品も不要にできる。また、各トランジスタがＭＯＳトランジスタで構成されている場合、バイポーラトランジスタで構成されている場合に比較して、充電制御信号としてのベース電流が流れないので、消費電流を少なくできる。
【発明を実施するための最良の形態】
【００２５】
装着された二次電池の充電時に発生する熱を２箇所以上に分散させ、筐体外部に現れる温度上昇が抑制される充電回路、及び同充電回路が設けられた電子機器を提供する。
【実施例１】
【００２６】
図１は、この発明の第１の実施例である充電回路が設けられた電子機器の要部の電気的構成を示すブロック図である。
この例の電子機器は、同図に示すように、携帯電話機５０であり、電源入力端子５１と、パワーマネージメントＩＣ５２と、トランジスタ５３ａ，５３ｂと、電流検出部５４と、二次電池５５と、ＣＰＵ５６とから構成され、また、従来の図６と同様に、ＡＣアダプタ３１を介してＡＣコンセント３２に接続されている。パワーマネージメントＩＣ５２は、ＡＣアダプタ３１から電源入力端子５１を経て供給される直流電源を、携帯電話機１の内部で使用される電圧に変換して各部に出力する他、同携帯電話機１が省電力モードに移行した場合には、各部への出力を停止する。また、パワーマネージメントＩＣ５２は、二次電池５５を充電するための充電制御部５２ａを有している。
【００２７】
充電制御部５２ａは、ＣＰＵ５６の命令に基づいて二次電池５５を充電し、同二次電池５５が満充電に到達したとき、充電を停止する。この場合、充電制御部５２ａは、二次電池５５の電圧を検出すると共に、電流検出部５４により充電電流を検出し、これらの検出結果に基づいて同充電電流を同二次電池５５に対応した所定の電流値に制御するための充電制御信号ｃｃｔを生成する。トランジスタ５３ａ，５３ｂは、特性の揃ったｐｎｐ型のバイポーラトランジスタで構成されると共に互いに並列接続され、充電制御部５２ａから出力される充電制御信号ｃｃｔがベース電流として各ベース電極に供給されてエミッタ電極・コレクタ電極間の抵抗値が制御され、充電電流を分散させて二次電池５５に供給する。なお、トランジスタ５３ａ，５３ｂの各ベース電極と充電制御部５２ａとの間に図示しないベース抵抗が接続されると共に、各エミッタ電極と同充電制御部５２ａとの間に図示しないエミッタ抵抗が接続されている。これらのベース抵抗及びエミッタ抵抗は、トランジスタ５３ａ，５３ｂの特性のばらつきを吸収する。電流検出部５４は、たとえば抵抗などで構成され、充電電流に対応した電圧を充電電流検出値として充電制御部５２ａへ送出する。二次電池５５は、たとえばリチウムイオン電池などで構成されている。また、上記パワーマネージメントＩＣ５２、電流検出部４４及びＣＰＵ４６は、図示しないプリント基板上に実装され、トランジスタ５３ａ，５３ｂは、この携帯電話機５０の筐体の内部の所定の部位に連接するように取り付けられている。
【００２８】
図２及び図３は、図１中の携帯電話機５０の筐体が折り畳み式に構成されている場合の開状態を示す外観図であり、同図２は正面図、及び同図３が背面図である。
この携帯電話機５０は、図２に示すように、ユニット６１と、ユニット６２と、ヒンジ部６３とを備えている。ユニット６１は、アンテナ６４が設けられ、前面にレシーバ６５、ＬＣＤ６６及びサブカメラ６７を備えている。ユニット６２は、前面に操作キー６８及びマイク６９を備え、内部には、図１中のパワーマネージメントＩＣ５２、トランジスタ５３ａ，５３ｂ、電流検出部５４、二次電池５５及びＣＰＵ５６が備えられている。また、図３に示すように、ユニット６２は、背面にメインカメラ７０が組み込まれ、かつ、トランジスタ５３ａ，５３ｂが内部の所定の部位に連接すると共に分散して取り付けられている。そして、ユニット６１の前面とユニット６２の前面とが向かい合う態様で同ユニット６１と同ユニット６２とがヒンジ部６３を介して折り畳まれるように構成されている。
【００２９】
図４は、図２のＡ−Ａ線断面図である。
同図４に示すように、回路基板７１に図１中のトランジスタ５３ａ，５３ｂ及び他の回路部品７２が実装されている。回路基板７１は、アースコンタクト７３，７４を介して金属フレーム７５に連結され、同金属フレーム７５がユニット６２に連結されている。また、図２中の各操作キー６８は、各バネ６８ａを介してキー基板７６に実装されている。
【００３０】
図５は、トランジスタ５３ａ，５３ｂの熱の拡散を示す模式図、及び図６が、充電制御部５２ａの動作の一例を説明する図であり、縦軸に電圧レベル、及び横軸に充電時間がとられている。
これらの図を参照して、この例の携帯電話機５０の動作について説明する。
この携帯電話機５０では、同図６に示すように、充電開始時において、ＣＣ（Constant Current、定電流）充電により、一定の電流で充電が行われる。この後、電池電圧が約４．１Ｖを超えたところでＣＶ（Constant Voltage、定電圧）充電に自動的に切換えられ、一定の電圧で充電が行われる。そして、電池電圧は、満充電電圧である４．２Ｖに漸次近付いていく。充電制御部５２ａの制御により、二次電池５５に電圧４．２Ｖが印加されると共に、同二次電池５５が要求する電流が流れるので、時刻ｔｅにおける充電完了に至るまで徐々に電流が減少していく。
【００３１】
すなわち、ＡＣアダプタ３１から直流電源が電源入力端子５１を経てパワーマネジメントＩＣ５２に供給されると、ＣＰＵ５６の命令に基づいて同パワーマネジメントＩＣ５２により二次電池５５を充電する動作が開始される。そして、充電制御部５２ａから充電制御信号ｃｃｔがベース電流としてトランジスタ５３ａ，５３ｂの各ベース電極に供給され、同トランジスタ５３ａ，５３ｂのコレクタ電極から二次電池５５に流れ込む充電電流が制御される。この場合、二次電池５５の容量が、たとえば８００ｍＡｈであれば、ＣＣ充電時では、８００ｍＡの定電流充電を行うことが一般的に望ましい。このため、トランジスタ５３ａに４００ｍＡ、及びトランジスタ５４ｂに４００ｍＡの電流を流すことにより、合計８００ｍＡの電流を流して二次電池５５が充電される。このとき、トランジスタ５３ａ，５３ｂでは、［（ＡＣアダプタ３１の出力電圧−充電電圧）×充電電流］で算出される電力が熱となって放出されるが、トランジスタの１個あたりの発熱量は、トランジスタを１個のみ用いる従来技術の構成に対して１／２となる。これらの２個のトランジスタ５３ａ，５３ｂが携帯電話機５０内部に分散して取り付けられているので、発熱源が分散された状態で熱が筐体（ユニット６２）表面に伝播する。この場合、図５に示すように、トランジスタ５３ａ，５３ｂの熱が、伝播経路ｈ，ｊに沿ってユニット６２に伝播する他、筐体内空間ｕ，ｖを介して同ユニット６２に伝播する。
【００３２】
以上のように、この第１の実施例では、充電制御部５２ａから出力される充電制御信号ｃｃｔがトランジスタ５３ａ，５３ｂの各ベース電極にベース電流として供給されることにより、エミッタ電極・コレクタ電極間の抵抗値が制御され、充電電流が分散して二次電池５５に供給される。このため、発熱源が分散されると共に同発熱源１個あたりの発熱量が１／２になり、筐体表面の温度が上昇しにくくなる。これにより、温度上昇を抑制するための充電制御に関わるソフトウェアの設計が不要となると共に、温度センサなどの部品も不要となる。
【実施例２】
【００３３】
図７は、この発明の第２の実施例である充電回路が設けられた携帯電話機の要部の電気的構成を示すブロック図であり、第１の実施例を示す図１中の要素と共通の要素には共通の符号が付されている。
この例の携帯電話機５０Ａでは、同図７に示すように、図１中のトランジスタ５３ａ，５３ｂに代えて、抵抗５７ａ，５７ｂ及び特性の揃ったｐチャネル型ＭＯＳトランジスタ（以下、「ｐＭＯＳ」という）５８ａ，５８ｂが設けられている。ｐＭＯＳ５８ａ，５８ｂは、互いに並列接続され、充電制御部５２ａから出力される充電制御信号ｃｃｔが抵抗５７ａ，５７ｂを介して制御電圧として各ゲート電極に印加されてソース電極・ドレイン電極間の抵抗値が制御され、充電電流を分散させて二次電池５５に供給する。他は、図１と同様の構成である。
【００３４】
この例の携帯電話機５０Ａでは、充電制御部５２ａから出力される充電制御信号ｃｃｔがｐＭＯＳ５８ａ，５８ｂの各ゲート電極に制御電圧として印加されることにより、ソース電極・ドレイン電極間の抵抗値が制御され、充電電流が分散して二次電池５５に供給される。このため、上記第１の実施例と同様の利点がある他、ｐＭＯＳ５８ａ，５８ｂが電圧制御素子であるため、図１中のトランジスタ５３ａ，５３ｂのようにベース電流が流れないので、消費電流が少なくなる。
【００３５】
以上、この発明の実施例を図面により詳述してきたが、具体的な構成は同実施例に限られるものではなく、この発明の要旨を逸脱しない範囲の設計の変更などがあっても、この発明に含まれる。
たとえば、図７中のｐＭＯＳ５８ａ，５８ｂは、たとえばＩＧＢＴ（Insulated Gate Bipolar Transistor ）などでも良い。また、図１中の２個トランジスタ５３ａ，５３ｂは、３個以上に増加しても良い。同様に、図７中のｐＭＯＳ５８ａ，５８ｂは、３個以上に増加しても良い。また、図６に示す充電制御部５２ａの動作は、二次電池５５がリチウムイオン電池の場合に対応しているが、二次電池５５の種類（たとえば、ニッケルカドミウム電池、ニッケル水素電池など）に応じて変更される。
【産業上の利用可能性】
【００３６】
この発明は、携帯電話機、ＰＤＡ、携帯用音楽再生機器（ＭＤプレーヤ、ハードディスクプレーヤなど）のように、筐体が小型化され、二次電池の充電回路を内蔵する携帯用の電子機器全般に適用できる。
【図面の簡単な説明】
【００３７】
【図１】この発明の第１の実施例である充電回路が設けられた電子機器の要部の電気的構成を示すブロック図である。
【図２】図１中の携帯電話機５０の外観図である。
【図３】図１中の携帯電話機５０の外観図である。
【図４】図２のＡ−Ａ線断面図である。
【図５】トランジスタ５３ａ，５３ｂの熱の拡散を示す模式図である。
【図６】充電制御部５２ａの動作の一例を説明する図である。
【図７】この発明の第２の実施例である充電回路が設けられた携帯電話機の要部の電気的構成を示すブロック図である。
【図８】従来の充電制御回路が設けられた電子機器の二次電池が充電される状態を示す図である。
【図９】図８中の携帯電話機１内の要部の電気的構成を示すブロック図である。
【符号の説明】
【００３８】
５０，５０Ａ      携帯電話機（電子機器）
５１      電源入力端子（電子機器の一部）
５２      パワーマネージメントＩＣ（充電回路の一部）
５２ａ      充電制御部（充電回路の一部）
５３ａ，５３ｂ      バイポーラトランジスタ（充電回路の一部）
５４      電流検出部（充電回路の一部）
５５      二次電池
５６      ＣＰＵ（中央処理装置、充電回路の一部）
５７ａ，５７ｂ      抵抗（充電回路の一部）
５８ａ，５８ｂ      ｐチャネル型ＭＯＳトランジスタ（充電回路の一部）
【図１】
2008054429.tif 000003
【図２】
2008054429.tif 000004
【図３】
2008054429.tif 000005
【図４】
2008054429.tif 000006
【図５】
2008054429.tif 000007
【図６】
2008054429.tif 000008
【図７】
2008054429.tif 000009
【図８】
2008054429.tif 000010
【図９】
2008054429.tif 000011